(57)【特許請求の範囲】
【請求項１】
エレベータの一部を構成するエレベータ用ロープを吊るためのエレベータ用ロープ吊り具であって、
筒状又は柱状に形成され、前記ロープの端部に隣接する部分が外周部に複数回巻かれて不動に固定される本体部を備え、
前記本体部は、前記ロープの端部を保持するために、前記ロープの端部が挿入される孔部を備える、エレベータ用ロープ吊り具。
【請求項２】
請求項１に記載のエレベータ用ロープ吊り具にロープを巻くことと、
前記ロープを吊るために、前記エレベータ用ロープ吊り具を吊ることと、を含む、エレベータの製造方法。
【請求項３】
エレベータの一部を構成するエレベータ用ロープを吊るためのエレベータ用ロープ吊り具を用いるエレベータの製造方法であって、
前記ロープ吊り具は、筒状又は柱状に形成されて且つ前記ロープの端部に隣接する部分が外周部に複数回巻かれて不動に固定される本体部を備え、
前記製造方法は、
前記ロープの端部が前記本体部の外周部と前記隣接する部分との間で保持されるように、前記隣接する部分を、前記ロープの端部の上から前記本体部の外周部に複数回巻くことによって、前記ロープの端部及び前記隣接する部分を前記本体部に不動に固定することと、
前記ロープを吊るために、前記ロープ吊り具を吊ることと、を含む、エレベータの製造方法。
【請求項４】
前記ロープは、複数の素線が撚り合わされて成る複数のストランドと、前記ストランドを被覆する被覆部と、を備え、
前記本体部の表面に対する前記被覆部の摩擦係数は、前記本体部の表面に対する前記ストランドの摩擦係数よりも、大きい、請求項２又は３に記載のエレベータの製造方法。
【発明の詳細な説明】
【技術分野】
【０００１】
本発明は、エレベータ用ロープ吊り具及びエレベータの製造方法に関する。
【背景技術】
【０００２】
従来、例えば、エレベータ用ロープを吊るための吊り具は、ロープを把持する一対の把持部を備えている（例えば、特許文献１）。ところで、一対の把持部がロープを強く把持することによって、ロープの表面を損傷させてしまう場合がある。
【先行技術文献】
【特許文献】
【０００３】
【特許文献１】特開２０１７−１７７８号公報
【発明の概要】
【発明が解決しようとする課題】
【０００４】
そこで、課題は、ロープの表面を損傷させることを抑制することができるエレベータ用ロープ吊り具及びエレベータの製造方法を提供することである。
【課題を解決するための手段】
【０００５】
エレベータ用ロープ吊り具は、エレベータ用ロープを吊るためのエレベータ用ロープ吊り具であって、前記ロープが巻かれる本体部を備える。
【０００６】
また、エレベータ用ロープ吊り具は、前記ロープの端部を保持する保持部をさらに備える、という構成でもよい。
【０００７】
また、エレベータ用ロープ吊り具においては、前記保持部は、前記ロープの端部が挿入される孔部を備える、という構成でもよい。
【０００８】
また、エレベータの製造方法は、前記のエレベータ用ロープ吊り具にロープを巻くことと、前記ロープを吊るために、前記エレベータ用ロープ吊り具を吊ることと、を含む。
【０００９】
また、エレベータの製造方法においては、前記ロープは、複数の素線が撚り合わされて成る複数のストランドと、前記ストランドを被覆する被覆部と、を備え、前記本体部の外周部に対する前記被覆部の摩擦係数は、前記本体部の外周部に対する前記ストランドの摩擦係数よりも、大きい、という方法でもよい。
【図面の簡単な説明】
【００１０】
【図１】図１は、一実施形態に係るエレベータの全体概要図である。
【図２】図２は、同実施形態に係るロープの断面図である。
【図３】図３は、同実施形態に係るロープ吊り具の全体斜視図である。
【図４】図４は、他の実施形態に係るロープ吊り具の全体斜視図である。
【図５】図５は、さらに他の実施形態に係るロープ吊り具の全体斜視図である。
【図６】図６は、さらに他の実施形態に係るロープ吊り具の全体斜視図である。
【図７】図７は、さらに他の実施形態に係るロープ吊り具の全体斜視図である。
【図８】図８は、さらに他の実施形態に係るロープ吊り具の全体斜視図である。
【図９】図９は、さらに他の実施形態に係るロープ吊り具の全体斜視図である。
【発明を実施するための形態】
【００１１】
以下、ロープ吊り具における一実施形態について、図１〜図３を参照しながら説明する。なお、各図（図４〜図９も同様）において、図面の寸法比と実際の寸法比とは、必ずしも一致しておらず、また、各図面の間での寸法比も、必ずしも一致していない。
【００１２】
まず、本実施形態に係るロープ吊り具の各構成を説明するのに先立って、ロープ吊り具を用いて製造されるエレベータについて説明する。
【００１３】
図１に示すように、エレベータ１０は、ユーザが乗るためのかご１１と、かご１１に接続される複数（図１においては、１つのみ図示している）のかごロープ１２と、複数のかごロープ１２に接続される釣合錘１３とを備えている。なお、各かごロープ１２の両端部１２ａ，１２ａは、それぞれ昇降路Ｘ１の上部（天井）に固定されている。
【００１４】
エレベータ１０は、複数のかごロープ１２が巻き掛けられる駆動シーブ１４ａを有する巻上機１４と、複数のかごロープ１２が巻き掛けられる従動シーブ１５ａ〜１５ｃとを備えている。また、エレベータ１０は、かご１１の移動速度を検出する調速機１６を備えている。
【００１５】
巻上機１４は、図示していない駆動源（例えば、モータ）を備えている。そして、駆動源が駆動シーブ１４ａを回転させることにより、各かごロープ１２に動力が伝達され（摩擦駆動され）、かご１１及び釣合錘１３が昇降する。また、例えば、従動シーブ１５ａ〜１５ｃは、かご１１に固定される従動シーブ１５ａ，１５ａと、釣合錘１３に固定される従動シーブ１５ｂと、昇降路Ｘ１の上部と下部とにそれぞれ固定される従動シーブ１５ｃ，１５ｃとを含んでいる。
【００１６】
本実施形態においては、かごロープ１２の両端部１２ａ，１２ａがそれぞれ昇降路Ｘ１の上部に固定され、かごロープ１２がかご１１の従動シーブ１５ａ，１５ａ及び釣合錘１３の従動シーブ１５ｂにそれぞれ巻き掛けられている、という構成であるが、斯かる構成に限られない。例えば、かごロープ１２の一端部１２ａがかご１１に固定され、かごロープ１２の他端部１２ａが釣合錘１３に固定されている、という構成でもよい。
【００１７】
また、本実施形態に係るエレベータ１０は、巻上機１４を昇降路Ｘ１の内部に配置する、という構成であるが、斯かる構成に限られない。例えば、エレベータ１０は、巻上機１４を、昇降路Ｘ１の上部に設けられる機械室の内部に配置する、という構成でもよい。
【００１８】
調速機１６は、かご１１に接続される無端円状のガバナロープ１６ａを備えている。また、調速機１６は、ガバナロープ１６ａが巻き掛けられるガバナシーブ１６ｂと、ガバナロープ１６ａに張力が働くように、ガバナロープ１６ａが巻き掛けられる張りシーブ１６ｃとを備えている。
【００１９】
そして、ガバナシーブ１６ｂの回転速度に基づいて、かご１１の移動速度が検出される。なお、エレベータ１０は、例えば、かご１１に接続される調速機１６だけでなく、釣合錘１３に接続される調速機１６も備えている、という構成でもよく、また、例えば、釣合錘１３に接続される調速機１６だけを備えている、という構成でもよい。
【００２０】
図２に示すように、かごロープ１２は、中心に配置される芯材１２ｂと、芯材１２ｂの周囲に配置され、複数の素線が撚り合わされて成る複数のストランド１２ｃと、ストランド１２ｃを被覆する被覆部１２ｄとを備えている。そして、複数のストランド１２ｃは、芯材１２ｂの周囲で撚り合わされている。
【００２１】
各シーブ１４ａ，１５ａ〜１５ｃに対する被覆部１２ｄの摩擦係数は、各シーブ１４ａ，１５ａ〜１５ｃに対するストランド１２ｃの摩擦係数よりも、大きくなっている。芯材１２ｂは、例えば、繊維や合成樹脂で形成されており、ストランド１２ｃ（具体的には、素線）は、例えば、鋼等の金属で形成されており、被覆部１２ｄは、例えば、樹脂で形成されている。なお、各構成１２ｂ〜１２ｄの材質は、特に限定されない。
【００２２】
図３に示すように、ロープ吊り具１は、かごロープ１２が巻かれる本体部２と、かごロープ１２の端部１２ａを保持する保持部３とを備えている。また、保持部３は、かごロープ１２の端部１２ａが挿入される孔部３ａを備えている。
【００２３】
そして、かごロープ１２は、本体部２の外周部２ａに巻かれており、かごロープ１２の端部１２ａは、孔部３ａに挿入される。これにより、かごロープ１２の端部１２ａが、ロープ吊り具１に保持されるため、本体部２に巻かれたかごロープ１２が本体部２から解かれることを抑制することができる。
【００２４】
本実施形態においては、本体部２は、中空の筒状（具体的には、円筒状）に形成されており、孔部３ａは、本体部２に設けられ、本体部２の端縁から離れて閉塞される開口である。これにより、孔部３ａがかごロープ１２を何れの方向でも止めるため、かごロープ１２の端部１２ａが孔部３ａから抜け出ることを抑制することができる。
【００２５】
また、本体部２は、剛性を有している。これにより、かごロープ１２が本体部２に強く巻かれた場合でも、本体部２が変形することを防止することができる。なお、本体部２の材質は、特に限定されないが、本体部２は、例えば、鉄鋼等の金属で形成されている、という構成でもよく、また、例えば、硬質樹脂で形成されている、という構成でもよい。
【００２６】
なお、本体部２の外幅寸法（外径）Ｗ１の大きさは、特に限定されないが、例えば、本体部２の外幅寸法Ｗ１は、かごロープ１２の外幅寸法（外径）Ｗ２の、５倍〜２０倍であることが好ましく、また、１２倍〜１８倍であることがさらに好ましい。また、例えば、本体部２の外幅寸法（外径）Ｗ１は、４０ｍｍ〜１６０ｍｍであることが好ましく、また、１００ｍｍ〜１５０ｍｍであることがさらに好ましい。なお、本体部２の外幅寸法Ｗ１は、本体部２の外幅のうち、最も大きい部分の寸法をいう。
【００２７】
本実施形態に係るロープ吊り具１の構成については以上の通りであり、次に、本実施形態に係るロープ吊り具１を用いたエレベータ１０の製造方法について説明する。
【００２８】
図３に示すように、かごロープ１２が、本体部２の外周部２ａに巻かれ、かごロープ１２の端部１２ａが、孔部３ａに挿入される。これにより、かごロープ１２の端部１２ａがロープ吊り具１に保持されるため、かごロープ１２が本体部２から解かれることを抑制することができる。
【００２９】
しかも、本体部２の外周部２ａに対するかごロープ１２の被覆部１２ｄの摩擦係数は、本体部２の外周部２ａに対するかごロープ１２のストランド１２ｃの摩擦係数よりも、大きくなっている。これにより、本体部２とかごロープ１２との間に発生する摩擦力が、大きくなるため、かごロープ１２が本体部２から解かれることをさらに抑制することができる。
【００３０】
そして、ロープ吊り具１を引き上げるために、例えば、フックＸ２を有するホイスト装置（図示していない）が用いられる。なお、ホイスト装置は、かご１１（又は釣合錘１３）を案内するレール、又は、昇降路Ｘ１の躯体に固定され、フックＸ２を上下方向に移動可能である。
【００３１】
本実施形態においては、ロープ吊り具１は、例えば、本体部２の内部に挿入されるワイヤロープＸ３を介して、フックＸ２に間接的に接続されている、という構成である。なお、ロープ吊り具１は、ワイヤロープＸ３を用いることなく、フックＸ２に直接的に接続されている、という構成でもよい。また、例えば、ワイヤロープＸ３は、もう一つの孔部３ａに挿入される、という構成でもよい。
【００３２】
そして、フックＸ２が上昇されることによって、ロープ吊り具１が吊られるため、かごロープ１２を吊ることができる。このように、かごロープ１２が本体部２に巻かれた状態で吊られるため、かごロープ１２の表面、特に、かごロープ１２の被覆部１２ｄを損傷させることを抑制することができる。これにより、かごロープ１２の性能が低下することを抑制することができる。
【００３３】
そして、ロープ吊り具１が所定位置まで上昇された後、かごロープ１２の端部１２ａは、対象物に固定される。なお、対象物は、例えば、昇降路Ｘ１の上部であり、また、例えば、かご１１の上部又は釣合錘１３の上部である。
【００３４】
このように、かごロープ１２が据え付けられることによって、エレベータ１０が製造される。なお、かごロープ１２の端部１２ａが対象物に固定される際に限られず、例えば、かごロープ１２がシーブ１４ａ，１５ａ〜１５ｃに巻き掛けられる際に、かごロープ１２がロープ吊り具１によって吊られてもよい。
【００３５】
以上より、本実施形態に係るエレベータ１０の製造方法は、エレベータ用ロープ吊り具１にロープ１２を巻くことと、前記ロープ１２を吊るために、前記エレベータ用ロープ吊り具１を吊ることと、を含む。
【００３６】
そして、本実施形態に係るエレベータ用ロープ吊り具１は、エレベータ用ロープ１２を吊るためのエレベータ用ロープ吊り具１であって、前記ロープ１２が巻かれる本体部２を備える。
【００３７】
斯かる構成によれば、ロープ１２が本体部２に巻かれる。そして、ロープ吊り具１が吊られることによって、ロープ１２を吊ることができる。これにより、ロープ１２の表面を損傷させることを抑制することができる。
【００３８】
また、本実施形態に係るエレベータ用ロープ吊り具１は、前記ロープ１２の端部１２ａを保持する保持部３をさらに備える、という構成である。
【００３９】
斯かる構成によれば、保持部３がロープ１２の端部１２ａを保持するため、ロープ１２が本体部２から解かれることを抑制することができる。これにより、ロープ吊り具１が吊られることによって、ロープ１２を確実に吊ることができる。
【００４０】
また、本実施形態に係るエレベータ用ロープ吊り具１においては、前記保持部３は、前記ロープ１２の端部１２ａが挿入される孔部３ａを備える、という構成である。
【００４１】
斯かる構成によれば、ロープ１２の端部１２ａが孔部３ａに挿入されることによって、ロープ１２の端部１２ａは、保持部３に保持される。これにより、ロープ１２の表面を損傷させることを抑制しつつ、ロープ１２が本体部２から解かれることを抑制することができる。
【００４２】
また、本実施形態に係るエレベータ１０の製造方法においては、前記ロープ１２は、複数の素線が撚り合わされて成る複数のストランド１２ｃと、前記ストランド１２ｃを被覆する被覆部１２ｄと、を備え、前記本体部２の外周部２ａに対する前記被覆部１２ｄの摩擦係数は、前記本体部２の外周部２ａに対する前記ストランド１２ｃの摩擦係数よりも、大きい、という方法である。
【００４３】
斯かる方法によれば、本体部２の外周部２ａに対する被覆部１２ｄの摩擦係数が、本体部２の外周部２ａに対するストランド１２ｃの摩擦係数よりも、大きいため、本体部２とロープ１２との間に発生する摩擦力は、大きくなる。これにより、ロープ１２が本体部２から解かれることを抑制することができる。
【００４４】
なお、ロープ吊り具１及びエレベータ１０の製造方法は、上記した実施形態の構成に限定されるものではなく、また、上記した作用効果に限定されるものではない。また、ロープ吊り具１及びエレベータ１０の製造方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４５】
（１）例えば、図４及び図５に示すように、ロープ吊り具１は、ロープ１２が本体部２から外れることを規制する規制部４を備えている、という構成でもよい。斯かる構成によれば、ロープ１２が規制部４によって本体部２から外れることを規制されるため、ロープ１２が本体部２から解かれることを抑制することができる。
【００４６】
（１−１）図４に係るロープ吊り具１においては、規制部４は、本体部２の外周部２ａから突出している。具体的には、規制部４は、フランジ状に形成されている。これにより、規制部４がロープ１２を止めるため、ロープ１２が本体部２から外れることを規制できる。
【００４７】
なお、規制部４は、本体部２の端部から突出している、という構成に限られず、例えば、本体部２の中間部から突出している、という構成でもよい。また、規制部４は、本体部２の周方向に連続して配置されている、という構成に限られず、例えば、本体部２の周方向に断続して配置されている、という構成でもよい。
【００４８】
（１−２）図５に係るロープ吊り具１においては、規制部４は、本体部２の外周部２ａに凹状に形成されている。具体的には、規制部４は、本体部２の外周部２ａに螺旋状の溝状に形成されている。これにより、ロープ１２が規制部４に沿って巻かれることによって、規制部４は、ロープ１２を止めることができる。したがって、ロープ１２が本体部２に対して位置ずれすることを規制できるため、ロープ１２が本体部２から外れることを規制できる。
【００４９】
（２）また、例えば、ロープ吊り具１においては、本体部２の外周部２ａは、ロープ１２が滑ることを抑制するための滑り抑制部２ｂを備えている、という構成でもよい。斯かる構成によれば、ロープ１２が本体部２の外周部２ａで滑ることを抑制することができるため、ロープ吊り具１が吊られることによって、ロープ１２を確実に吊ることができる。
【００５０】
（２−１）例えば、図６に示すように、本体部２は、筒状に形成されるベース部２ｃと、ベース部２ｃの外周部に配置される滑り抑制部２ｂとを備えている、という構成でもよい。斯かる構成においては、ロープ１２に対する滑り抑制部２ｂの摩擦係数は、ロープ１２に対するベース部２ｃの摩擦係数よりも、大きくなっている。
【００５１】
なお、滑り抑制部２ｂの材質は、特に限定されないが、例えば、ゴムとすることができる。また、ベース部２ｃの材質は、特に限定されないが、例えば、鉄鋼等の金属とすることができ、また、例えば、硬質樹脂とすることができる。
【００５２】
（２−２）また、図６に係る構成に限られず、例えば、滑り抑制部２ｂは、本体部２の外周部２ａを凹凸状にすることによって、形成されている、という構成でもよい。例えば、滑り抑制部２ｂは、本体部２の外周部２ａをディンプル状又はローレット状にすることによって、形成されている、という構成でもよい。
【００５３】
（３）また、上記実施形態に係るロープ吊り具１においては、保持部３は、ロープ１２の端部１２ａが挿入される孔部３ａを備えている、という構成である。しかしながら、ロープ吊り具１は、斯かる構成に限られない。例えば、保持部３は、ロープ１２の端部１２ａを損傷しない程度の力で把持するクリップを備えている、という構成でもよい。
【００５４】
（４）また、上記実施形態に係るロープ吊り具１においては、本体部２の外周縁は、円形状である、という構成である。しかしながら、ロープ吊り具１は、斯かる構成に限られない。例えば、本体部２の外周縁は、楕円形状である、という構成でもよく、また、例えば、多角形状である、という構成でもよい。
【００５５】
（５）また、上記実施形態に係るロープ吊り具１においては、本体部２は、中空の筒状に形成されている、という構成である。しかしながら、ロープ吊り具１は、斯かる構成に限られない。例えば、本体部２は、内部が充たされる柱状に形成されている、という構成でもよい。
【００５６】
（６）また、上記実施形態に係るロープ吊り具１においては、孔部３ａは、本体部２の端縁から離れて閉塞される開口である、という構成である。しかしながら、ロープ吊り具１は、斯かる構成に限られない。例えば、孔部３ａは、図６に示すように、本体部２の端縁に連接されて開放される開口である、という構成でもよい。
【００５７】
（７）また、上記実施形態に係るロープ吊り具１は、保持部３を備えている、という構成である。しかしながら、ロープ吊り具１は、斯かる構成に限られない。例えば、図７に示すように、ロープ吊り具１は、保持部３を備えていない、という構成でもよい。なお、斯かる構成におけるエレベータ１０の製造方法においては、特に限定されないが、例えば、図７に示すように、ロープ１２の端部１２ａは、ロープ１２の他の部分に上から巻かれることによって、ロープ吊り具１に保持される、という方法を採用してもよい。
【００５８】
（８）また、例えば、図８及び図９に示すように、ロープ吊り具１は、互いに接続可能である、という構成でもよい。斯かる構成におけるエレベータ１０の製造方法においては、複数のロープ１２を同時に吊ることができる。これにより、例えば、ロープ１２の据え付け、即ち、エレベータ１０の製造を容易に行うことができる。
【００５９】
（８−１）例えば、図８に示すように、ロープ吊り具ユニットは、複数のロープ吊り具１と、複数のロープ吊り具１を接続する接続具５とを備えている、という構成でもよい。接続具５の構成は、特に限定されないが、図８においては、接続具５は、複数のロープ吊り具１の内部を挿通するように、構成されている。そして、接続具５は、筒状に形成されており、ワイヤロープＸ３を内部に挿入可能である。
【００６０】
（８−２）また、例えば、図９に示すように、ロープ吊り具ユニットは、複数のロープ吊り具１と、ロープ吊り具１に連結される接続具５とを備えている、という構成でもよい。接続具５の構成は、特に限定されないが、図９においては、接続具５は、隣接されるロープ吊り具１の内部に嵌められるように、構成されている。
【００６１】
（９）また、上記実施形態に係るロープ吊り具１は、一つのロープ１２を巻かれる、という構成である。しかしながら、ロープ吊り具１は、斯かる構成に限られない。例えば、ロープ吊り具１は、複数のロープ１２を巻かれる、という構成でもよい。斯かる構成におけるエレベータ１０の製造方法においては、ロープ吊り具１を吊ることによって、複数のロープ１２を同時に吊ることができる。
【００６２】
（１０）また、上記実施形態に係るロープ吊り具１は、かごロープ１２を巻かれる、という構成である。しかしながら、ロープ吊り具１は、斯かる構成に限られない。例えば、ロープ吊り具１は、ガバナロープ１６ａを巻かれる、という構成でもよい。即ち、ロープ吊り具１に巻かれるロープ１２，１６ａは、エレベータ１０に用いられるロープ１２，１６ａであれば、特に限定されない。
【００６３】
（１１）また、上記実施形態に係るエレベータ１０の製造方法においては、ロープ１２は、ストランド１２ｃを被覆する被覆部１２ｄを備えており、本体部２は、被覆部１２ｄと接する、という方法である。しかしながら、エレベータ１０の製造方法は、斯かる方法に限られない。例えば、ロープ１２は、被覆部１２ｄを備えておらず、本体部２は、ストランド１２ｃと接する、という方法でもよい。
【００６４】
（１２）また、上記実施形態に係るエレベータ１０の製造方法においては、本体部２に対する被覆部１２ｄの摩擦係数は、本体部２に対するストランド１２ｃの摩擦係数よりも、大きい、という構成である。しかしながら、エレベータ１０の製造方法は、斯かる方法に限られない。例えば、本体部２に対する被覆部１２ｄの摩擦係数は、本体部２に対するストランド１２ｃの摩擦係数よりも、小さい、という構成でもよい。
【符号の説明】
【００６５】
１…ロープ吊り具、２…本体部、２ａ…外周部、２ｂ…滑り抑制部、２ｃ…ベース部、３…保持部、３ａ…孔部、４…規制部、５…接続具、１０…エレベータ、１１…かご、１２…かごロープ、１２ａ…端部、１２ｂ…芯材、１２ｃ…ストランド、１２ｄ…被覆部、１３…釣合錘、１４…巻上機、１４ａ…駆動シーブ、１５ａ…従動シーブ、１５ｂ…従動シーブ、１５ｃ…従動シーブ、１６…調速機、１６ａ…ガバナロープ、１６ｂ…ガバナシーブ、１６ｃ…張りシーブ、Ｘ１…昇降路、Ｘ２…フック、Ｘ３…ワイヤロープ
【要約】
【課題】  ロープの表面を損傷させることを抑制することができるエレベータ用ロープ吊り具を提供する。
【解決手段】  エレベータ用ロープ吊り具は、エレベータ用ロープを吊るためのエレベータ用ロープ吊り具であって、ロープが巻かれる本体部を備える。
【選択図】  図３【図１】
0006814415.tif 000002
【図２】
0006814415.tif 000003
【図３】
0006814415.tif 000004
【図４】
0006814415.tif 000005
【図５】
0006814415.tif 000006
【図６】
0006814415.tif 000007
【図７】
0006814415.tif 000008
【図８】
0006814415.tif 000009
【図９】
0006814415.tif 000010